(57)【特許請求の範囲】
【請求項１】
紛体を含有した液剤と噴射剤を充填したエアゾール容器と該エアゾール容器の弁に取り付けられる塗布体と、を有し、
前記塗布体は、エアゾール容器の弁を構成するステムに取り付けられる本体と該本体に装着される高分子焼結多孔質体からなり、前記本体と高分子焼結多孔質体との間には空隙が形成されると共に、前記高分子焼結多孔質体には一端が前記空隙側に開口し他端が外部側に開口した複数の貫通孔が形成され、前記空隙は個々の貫通孔に対向して形成されていることを特徴とする塗布用エアゾール製品。
【請求項２】
前記高分子焼結多孔質体がポリエチレン又はポリプロピレン或いはエチレン・酢酸ビニルコポリマーを主成分とする粒体を原料として形成されていることを特徴とする請求項１に記載した塗布用エアゾール製品。
【請求項３】
高分子焼結多孔質体の標準平均気孔径が５μｍ乃至１００μｍの範囲であることを特徴とする請求項１又は２に記載した塗布用エアゾール製品。
【発明の詳細な説明】
【技術分野】
【０００１】
本発明は、塗布用エアゾール製品に係り、特に、紛体を含有した液剤であっても目詰まりを生じることなく、円滑に人体に塗布することができる塗布用エアゾール製品に関するものである。
【背景技術】
【０００２】
エアゾール製品は、エアゾール容器に目的の内容物（液剤）と噴射剤を充填して構成されており、エアゾール容器の所定部位に設けた弁機構を開放することで噴射される。例えば、液剤が消炎鎮痛剤や害虫忌避剤、ローション、育毛剤等のように直接皮膚に噴射する医薬品や医薬部外品、化粧品である場合、噴射された液剤が飛散するという問題が生じる。このため、液剤の飛散を防止する目的で塗布材を介在させることがある（例えば特許文献１参照）。
【０００３】
特許文献１に係る技術は、揮発性物質、液体、ペースト、固体等の物質を人体に塗布する際に用いるアプリケータユニットに関するものであり、多孔質の塗布半球状部を容器に備えた分配バルブの可動部に接続して構成されている。そして、半球状部を適用したときに作用する力によって分配バルブを動かし、半球状部を経由して物質を塗布分配し得るように構成されている。
【０００４】
特許文献１に記載された多孔質の塗布半球状部に代表される多孔質体は、高分子材料からなる多数の粒体を焼結成形して形成されている。このような半球状部には粒体どうしの間に連続した隙間が形成されることとなり、この隙間を通って塗布すべき物質が表面に浸出することとなる。また、粒体の粒度や成形密度を適宜選択することによって、表面の滑らかさを好ましい状態となるように設定することができる。
【０００５】
一方、直接皮膚に作用させる液剤として制汗剤がある。この制汗剤は、皮膚に付着したときにサラサラ感を得るために紛体を含有させて液剤を構成し、この液剤をエアゾール容器に充填して所要の部位に向けて噴射させることで適用するようにしている。
【先行技術文献】
【特許文献】
【０００６】
【特許文献１】特開平０８−０００７４０号公報
【発明の概要】
【発明が解決しようとする課題】
【０００７】
上記の如く、エアゾール製品として提供されている制汗剤は適用すべき部位に向けて噴射されるため、液剤が飛散するという問題がある。このため、塗布体を介して所要の部位に塗布し得るようにした制汗剤が要求されているのが実情である。
【０００８】
上記特許文献１に記載された半球状部を含む多孔質体に形成された隙間は、多数の粒体によって規制されて網目状に形成されるものの、該隙間の寸法は管理されたものではない。このため、紛体を含有した液剤を多孔質体を介して皮膚に塗布しようとしたとき、多孔質体に形成された隙間が目詰まりを起こして、液剤が円滑に多孔質体の表面に浸出しないという問題が生じた。
【０００９】
本発明の目的は、紛体を含有した液剤を塗布するに際し、紛体による目詰まりが生じることなく、円滑な塗布を実現することができる塗布用エアゾール製品を提供することにある。
【課題を解決するための手段】
【００１０】
上記課題を解決するために本発明に係る塗布用エアゾール製品は、紛体を含有した液剤と噴射剤を充填したエアゾール容器と該エアゾール容器の弁に取り付けられる塗布体と、を有し、前記塗布体は、エアゾール容器の弁を構成するステムに取り付けられる本体と該本体に装着される高分子焼結多孔質体からなり、前記本体と高分子焼結多孔質体との間には空隙が形成されると共に、前記高分子焼結多孔質体には一端が前記空隙側に開口し他端が外部側に開口した複数の貫通孔が形成され、前記空隙は個々の貫通孔に対向して形成されているものである。
【００１１】
上記塗布用エアゾール製品に於いて、前記高分子焼結多孔質体がポリエチレン又はポリプロピレン或いはエチレン・酢酸ビニルコポリマーを主成分とする粒体を原料として形成されていることが好ましい。
【００１２】
また、上記何れかの塗布用エアゾール製品に於いて、高分子焼結多孔質体の標準平均気孔径が５μｍ乃至１００μｍの範囲であることが好ましい。
【発明の効果】
【００１３】
本発明に係る塗布用エアゾール製品では、塗布体は、エアゾール容器の弁を構成するステムに取り付けられる本体と、該本体に装着される高分子焼結多孔質体（以下、単に「焼結多孔質体」という）とによって構成されている。更に、本体と焼結多孔質体との間に空隙が形成され、焼結多孔質体には一端が空隙側に開口し他端が外部側に開口した貫通孔が形成されている。このため、弁から噴射された液剤は本体を経て該本体と焼結多孔質体との間に形成された空隙に至り、この空隙から焼結多孔質体に形成された隙間と貫通孔を通って該焼結多孔質体の表面に浸出する。
【００１４】
特に、焼結多孔質体に形成された貫通孔が空隙と外部とを連通させているため、液剤に含有された紛体による目詰まりを起こすことなく、円滑な液剤の通過を実現することができる。
【００１５】
また、焼結多孔質体をポリエチレン又はポリプロピレン或いはエチレン・酢酸ビニルコポリマーの粒体を原料として焼結成形することによって、肌触りを滑らかにすることが出来る。特に、標準平均気孔径を５μｍ〜１００μｍの範囲に形成することによって、皮膚に接触したときの使用感を向上させ、且つ１回の動作毎に適正な塗布量を確保することが出来る。
【図面の簡単な説明】
【００１６】
【図１】本実施例に係る塗布用エアゾール製品の要部断面図である。
【図２】図１の上面斜視図である。
【図３】本実施例に係る焼結多孔質体の構成を説明する図である。
【発明を実施するための形態】
【００１７】
以下上記塗布用エアゾール製品の好ましい実施形態について図を用いて説明する。図に示す塗布用エアゾール製品は、部分的に記載したエアゾール容器Ａと、このエアゾール容器Ａの弁に取り付けられた塗布体Ｂとを有して構成されている。塗布体Ｂはエアゾール容器Ａの弁を構成するステム１０に取り付けられており、該塗布体Ｂを皮膚に押圧させたとき、ステム１０を通過した液剤を浸出させて塗布し得るように構成されている。
【００１８】
エアゾール容器Ａには、紛体を含有した液剤と、噴射剤と、が充填されており、ステム１０を押圧して内側へと移動させるのに伴って、噴射剤によって加圧された液剤を噴射することが可能である。
【００１９】
液剤に含有される紛体の材質や粒度及び含有率等の条件は特に限定するものではなく、液剤の機能に応じて適宜設定することが好ましい。このような紛体を含有する液剤の代表的な例としての制汗剤の場合、紛体として粒度２０μｍ程度の多孔質紛体を利用すると共に、液体としてエタノールを利用し、前記紛体を前記液体に約１％〜約１０％含有させて構成されている。
【００２０】
エアゾール容器Ａに充填された液剤を噴射するための噴射剤も特に限定するものではない。一般的なエアゾール製品で噴射剤として利用されている液化石油ガス（ＬＰＧ）やジメチルエーテル（ＤＭＥ）、或いは炭酸ガスや窒素ガス等の圧縮ガス、更にはハイドロフルオロカーボン（ＨＦＣ）等の代替フロンガス、等のガスを選択的に利用することが可能である。
【００２１】
塗布体Ｂは、エアゾール容器Ａの弁を構成するステム１０に取り付けられる本体１と、本体１の表面に装着された焼結多孔質体２と、を有して構成されている。またエアゾール容器Ａには肩カバー３が取り付けられており、該肩カバー３にキャップ４が着脱可能に取り付けられている。
【００２２】
本体１は、頂部１ａと、該頂部１ａの中心から下方に突出して形成されステム１０を嵌合すると共に該ステム１０と連通した孔１ｂを有するボス状の取付部１ｃと、頂部１ａの外周に沿ってリング状の凹溝として形成され焼結多孔質体２を装着するための装着部１ｄと、を有して構成されている。
【００２３】
特に、装着部１ｄは、内周が頂部１ａの外周から下方に立ち下がった立下片１ｅによって規定され、外周が立上片１ｆによって規定され、底部がリング状の底片１ｇによって規定されている。そして、装着部１ｄに焼結多孔質体２の嵌合部２ｂを嵌合させたとき、該嵌合部２ｂを立下片１ｅと立上片１ｆ及び底片１ｇによって保持している。
【００２４】
上記の如き形状を持った本体１を構成する材料は特に限定するものではなく、ポリエチレンやポリプロピレン等の熱可塑性樹脂を用いることが可能である。特に、本体１を構成する材料は、成形後多少の弾力性を発揮し得るものであることが好ましく、このような弾力性を有することで、焼結多孔質体２を装着する際に、該焼結多孔質体２に寸法のばらつきが生じているような場合でも、このばらつきを吸収することが可能である。
【００２５】
焼結多孔質体２はポリエチレン又はポリプロピレン或いはエチレン・酢酸ビニルコポリマーの粒体を原料とし、この原料を焼結成形することによって構成されている。即ち、焼結多孔質体２は、予め設定された粒度の範囲に管理されたポリエチレン又はポリプロピレン或いはエチレン・酢酸ビニルコポリマーの粒体を成形型に収容した後、高圧、高温下で成形して製造されている。
【００２６】
このように焼結多孔質体２の原料としてポリエチレン、ポリプロピレン、エチレン・酢酸ビニルコポリマー等の中から選択された材料を用いることによって、塗布使用時の皮膚に対する感触を向上させることが可能である。
【００２７】
上記の如くして成形された焼結多孔質体２では、粒度を管理された多数の粒体が互いに強固に結び付いて形成されるため、隣接する孔が互いに連続して網目状の隙間（気孔）が形成される。このため、孔径を５μｍ〜１００μｍの範囲で厳密に管理した焼結多孔質体２として製造することが可能である。
【００２８】
本実施例に於いて、焼結多孔質体２は、孔径が５μｍ〜１００μｍの範囲に設定されると共に、空孔率が３０％〜５０％の範囲に設定されている。この空孔率は、焼結多孔質体２に孔の比率を示すものであり、空孔率をＤとし、嵩密度をＤｔとし真密度をＤｏとしたとき、
Ｄ＝（１−Ｄｔ／Ｄｏ）×１００
で計算されるものである。
【００２９】
焼結多孔質体２は全体が浅いカップを伏せた形状を有している。この焼結多孔質体２の表面２ａは球の一部の形状を持って形成されており、外周部分は本体１に設けた凹溝からなる装着部１ｄに嵌合するリング状の嵌合部２ｂとして形成されている。このように、焼結多孔質体２の外周部分にリング状の嵌合部２ｂが形成されることによって、中心には円筒状の凹溝２ｃが形成され、該凹溝２ｃの底面である本体１の頂部１ａと対向する対向面２ｄが形成される。この対向面２ｄは、表面２ａの曲率と略等しい曲率を持った球面の一部として形成されており、対向面２ｄに対応する焼結多孔質体２は表面２ａの間で略均等な厚さを有する。
【００３０】
焼結多孔質体２に形成された凹溝２ｃの深さは、本体１の頂部１ａの外周に形成された立下片１ｅの高さよりも大きい寸法を有している。このため、焼結多孔質体２の嵌合部２ｂを本体１の装着部１ｄに嵌合させたとき、本体１の頂部１ａと焼結多孔質体２の対向面２ｄとの間に、凹溝２ｃの深さと立下片１ｅの高さとの差に応じた高さを持った空隙６が形成される。
【００３１】
空隙６は、ステム１０から本体１の孔１ｂを経て噴射された紛体を含有した液剤を、後述する貫通孔７に対し万遍なく分散させるための空間となるものであり、個々の貫通孔７に対向して形成されたものであっても良い。
【００３２】
空隙６の深さは特に限定するものではなく、噴射すべき液剤の性質や該液剤に含有した紛体の条件等に応じて適宜設定することが好ましい。しかし、使用する毎に空隙６に液剤が滞留するため、空隙６の深さが余りに大きくなると無駄になる液剤の量が多くなる虞があり、空隙６の深さが小さいと焼結多孔質体２の表面２ａに万遍なく液剤を浸出させるのが難しくなる虞がある。
【００３３】
焼結多孔質体２には、一端が対向面２ｄに開口し他端が表面２ａに開口する貫通孔７が形成されている。この貫通孔７は、液剤に含有された紛体を円滑に焼結多孔質体２の表面２ａに通過させるためのものである。このため、貫通孔７は、焼結多孔質体２に形成されている網目状の隙間の寸法よりも十分に大きい寸法を有して形成されている。
【００３４】
また、貫通孔７は焼結多孔質体２に網目状に形成されている隙間とは異なり、該焼結多孔質体２を厚さ方向に貫通して形成されている。しかし、貫通孔７は必ずしも直線的に形成されている必要はなく、多少曲がりが生じていたとしても、焼結多孔質体２を厚さ方向に貫通していれば良い。
【００３５】
上記の如く、貫通孔７は焼結多孔質体２に形成された網目状の隙間よりも十分に大きい寸法を有しており、且つ焼結多孔質体２を厚さ方向に貫通して形成されるため、網目状の隙間の流路抵抗と比較して極めて小さい流路抵抗となる。従って、空隙６に噴射された液剤に含有された紛体を円滑に通過させることが可能であり、該貫通孔７を通過した紛体を焼結多孔質体２の表面２ａに付着させておくことが可能である。
【００３６】
焼結多孔質体２に形成する貫通孔７の太さや数は限定するものではなく、液剤に含有する紛体の粒度や含有率、及び一度使用する毎の適量等の条件を考慮して適宜設定することが好ましい。
【００３７】
また、貫通孔７を如何なる方法で形成するかは限定するものではなく、焼結多孔質体２を成形する際に中子を設けて形成する方法や、焼結多孔質体２を成形した後、ドリルによって機械的に形成する方法等の方法があり、加工のし易さやコストの面を考慮して適宜選択することが好ましい。
【００３８】
本実施例では、焼結多孔質体２に太さが約２ｍｍの貫通孔７を３本形成している。
【００３９】
上記の如く形成された本体１、焼結多孔質体２では、本体１の装着部１ｄに焼結多孔質体２の嵌合部２ｂを嵌合させることで、焼結多孔質体２を本体１に装着して塗布体Ｂを構成することが可能である。そして、本体１の取付部１ｃをエアゾール容器Ａのステム１０に嵌合させることで、塗布用エアゾール製品を構成することが可能である。
【００４０】
肩カバー３は、エアゾール容器Ａの肩部に取り付けられると共に、上端部分にキャップ４を着脱可能に取り付ける機能を有するものである。肩カバー３は外径がエアゾール容器Ａの外径と略等しく形成されており、下端部にはエアゾール容器Ａに取り付けられる突起状の取付部３ａが内側に向けて形成され、上端部にはキャップ４を取り付けるための取付部３ｂが形成されている。
【００４１】
本発明に於いて、焼結多孔質体２として、ポリエチレン又はポリプロピレン或いはエチレン・酢酸ビニルコポリマーを材料とした高分子焼結多孔質体を用いており、更に、該焼結多孔質体２の標準平均気孔径を５μｍ〜１００μｍの範囲に設定している。そして前記条件を満足した焼結多孔質体２を用いることで、該焼結多孔質体２が直接使用者の皮膚にふれたときの感覚、即ち、使用感の向上をはかると共に適正な塗布量を確保し得るようにしている。
【００４２】
皮膚に直接接触する焼結多孔質体２は、液剤の浸出状態の良否もさることながら、皮膚に接触したときの感触が大きな比重を占めている。このため、焼結多孔質体２の標準平均気孔径は５μｍ〜１００μｍの範囲が好ましく、１０μｍ〜１００μｍの範囲であることがより好ましく、更に、１０μｍ〜５０μｍであることが望ましい。
【産業上の利用可能性】
【００４３】
本発明に係る塗布用エアゾール製品は、紛体や短い繊維体を含有した液剤を人体に塗布するエアゾール製品に利用して有利である。
【符号の説明】
【００４４】
Ａ                      エアゾール容器
Ｂ                      塗布体
１                      本体
１ａ                    頂部
１ｂ                    孔
１ｃ                    取付部
１ｄ                    装着部
１ｅ                    立下片
１ｆ                    立上片
１ｇ                    底片
２                      焼結多孔質体
２ａ                    表面
２ｂ                    嵌合部
２ｃ                    凹溝
２ｄ                    対向面
３                      肩カバー
３ａ、３ｂ              取付部
４                      キャップ
６                      空隙
７                      貫通孔
１０                    ステム
【図１】
0005826504.tif 000002
【図２】
0005826504.tif 000003
【図３】
0005826504.tif 000004